(57)【要約】【課題】  被検眼の高さ位置を適正なアイレベルに容易に調節できるようにする。【解決手段】  被検眼を検査または測定を行うための検眼部を備える眼科装置において、  被検眼に対して前記検眼部を所定位置に合わせるために検眼部が搭載された移動台の移動により被検眼に対して前記検眼部を前後方向に移動させる前後移動手段と、被検眼前眼部を撮影する第１前眼部撮影手段と、被検眼の高さを確認するために前眼部を含めた周辺領域を撮影する第２前眼部撮影手段と、第１及び第２前眼部撮影手段にて得られた撮影画像を表示する表示手段と、該表示手段にて表示させる撮影画像を，前記前後移動手段によって移動される前記移動台の前後方向の移動に基づいて前記第１前眼部撮影手段及び前記第２前眼部撮影手段にて得られる撮影画像を選択的に前記表示手段に表示させる表示制御手段と、を備える。【選択図】      図４
2008136617.tif 000002
【特許請求の範囲】
【請求項１】
被検眼を検査または測定を行うための検眼部を備える眼科装置において、
被検眼に対して前記検眼部を所定位置に合わせるために検眼部が搭載された移動台の移動により被検眼に対して前記検眼部を前後方向に移動させる前後移動手段と、
被検眼を検査または測定を行うために被検眼前眼部を撮影する第１前眼部撮影手段と、
被検眼の高さを確認するために前記第１前眼部撮影手段よりも低倍率にて前記前眼部を含めた周辺領域を撮影する第２前眼部撮影手段と、
前記第１前眼部撮影手段及び第２前眼部撮影手段にて得られた撮影画像を表示する表示手段と、
該表示手段にて表示させる撮影画像を，前記前後移動手段によって移動される前記移動台の前後方向の移動に基づいて前記第１前眼部撮影手段及び前記第２前眼部撮影手段にて得られる撮影画像を選択的に前記表示手段に表示させる表示制御手段と、を備えることを特徴とする眼科装置。
【請求項２】
請求項１の眼科装置は、前記移動台が前後方向の移動により所定位置に移動したことを検知する検知手段を有し、前記表示制御手段は該検知手段の検知信号に基づいて前記第１前眼部撮影手段及び前記第２前眼部撮影手段にて得られる撮影画像を選択的に前記表示手段に表示させることを特徴とする眼科装置。
【請求項３】
請求項２の眼科装置において、前記検知手段は、第１前眼部撮影手段を用いて被検眼と前記検眼部との位置合せを行うのに必要な前記移動台の前後方向の範囲を外れた移動台の位置を検知することを特徴とする眼科装置。
【請求項４】
請求項１の眼科装置は、前記移動台が被検眼から離れる方向に移動する際の移動量を検出する検出手段を有し、前記表示制御手段は該検出手段の検出信号に基づいて前記第１前眼部撮影手段及び前記第２前眼部撮影手段にて得られる撮影画像を選択的に前記表示手段に表示させることを特徴とする眼科装置。
【請求項５】
請求項１の眼科装置において、前記検眼部の上下方向の高さ情報を検出する高さ位置検出手段と、を備え、
前記表示制御手段は、
被検眼のアイレベルを調整する基準となるアイレベルマークを電子的に表示する電子表示手段を有し、該高さ位置検出手段によって検出される前記検眼部の高さ情報と予め記憶された適正なアイレベルとの偏位量に基づいて電子的に表示されるアイレベルマークの位置を変更することを特徴とする眼科装置。
【請求項６】
請求項１または請求項５の眼科装置において、前記第２撮影光学系は、該第１撮影光学系とは上下に異なる撮影光軸を持つ第２撮影光学系であって、
装置に設けられるもしくは電子的に表示されるアイレベルマーカーは、被検眼のアイレベルが適正に調整された状態において、被検眼とほぼ同じ高さとなって前記表示手段によって表示されるように、配置位置もしくは表示位置が補正されていることを特徴とする眼科装置。
【請求項７】
被検眼を検査または測定を行うための検眼部を備える眼科装置において、
被検眼に対して前記検眼部を所定位置に合わせるために検眼部が搭載された移動台の移動により被検眼に対して前記検眼部を前後方向に移動させる前後移動手段と、
被検眼の高さを確認するために前眼部を含めた周辺領域を撮影することが可能な前眼部撮影手段と、
前記前眼部撮影手段にて得られた前眼部画像を表示する表示手段と、
前記前後移動手段によって移動される前記移動台の前後方向の移動に基づいて前記前眼部撮影手段にて得られる前眼部画像を電子的に変倍して前記表示手段に表示する電子変倍手段と、を備えることを特徴とする眼科装置。
【発明の詳細な説明】
【技術分野】
【０００１】
本発明は、被検眼の検査・測定等を行う眼科装置に関する。
【背景技術】
【０００２】
従来、オートレフや眼底カメラ等の眼科装置には、被検者の顔を載せて固定し、被検眼を所定の高さに位置させるための顎受けが設けられている。このような顎受けは、別に設けられている高さ調整用の回転ノブや、顎受けを電動で移動させるＵＰ／ＤＯＷＮスイッチを検者が操作することによって、その高さを調節することができる（例えば、特許文献１参照）。また、このような眼科装置には、精度よく検査、測定等を行うために、顎受けに載せた被検者の顔の高さ（被検眼の高さ）を所定の高さ位置とするための目安となるアイレベルマーカーが設けられている。従来装置においては、回転ノブやＵＰ／ＤＯＷＮスイッチ等を用いて顎受けを調節し、被検眼の近傍に用意されているアイレベルマーカと略同じ高さとなるように被検眼の高さを合わせるようにしている。
【特許文献１】特開平１１−２７６４３６号公報
【発明の開示】
【発明が解決しようとする課題】
【０００３】
しかしながら、アイレベルマーカと被検眼との位置関係を適正なものとする場合、検者（操作者）は装置の操作位置から一旦離れ、アイレベルマーカと被検眼とを横方向から覗き込んで高さ位置の調節を行う必要があり、検者にとって煩わしいものであった。
【０００４】
本発明は、上記問題点を鑑み、被検眼の高さ位置を適正なアイレベルに容易に調節することができる眼科装置を提供することを技術課題とする。
【課題を解決するための手段】
【０００５】
上記課題を解決するために、本発明は以下のような構成を備えることを特徴とする。
【０００６】
（１）  被検眼を検査または測定を行うための検眼部を備える眼科装置において、
被検眼に対して前記検眼部を所定位置に合わせるために検眼部が搭載された移動台の移動により被検眼に対して前記検眼部を前後方向に移動させる前後移動手段と、
被検眼を検査または測定を行うために被検眼前眼部を撮影する第１前眼部撮影手段と、
被検眼の高さを確認するために前記第１前眼部撮影手段よりも低倍率にて前記前眼部を含めた周辺領域を撮影する第２前眼部撮影手段と、
前記第１前眼部撮影手段及び第２前眼部撮影手段にて得られた撮影画像を表示する表示手段と、
該表示手段にて表示させる撮影画像を，前記前後移動手段によって移動される前記移動台の前後方向の移動に基づいて前記第１前眼部撮影手段及び前記第２前眼部撮影手段にて得られる撮影画像を選択的に前記表示手段に表示させる表示制御手段と、を備えることを特徴とする。
（２）  （１）の眼科装置は、前記移動台が前後方向の移動により所定位置に移動したことを検知する検知手段を有し、前記表示制御手段は該検知手段の検知信号に基づいて前記第１前眼部撮影手段及び前記第２前眼部撮影手段にて得られる撮影画像を選択的に前記表示手段に表示させることを特徴とする。
（３）  （２）の眼科装置において、前記検知手段は、第１前眼部撮影手段を用いて被検眼と前記検眼部との位置合せを行うのに必要な前記移動台の前後方向の範囲を外れた移動台の位置を検知することを特徴とする。
（４）  （１）の眼科装置は、前記移動台が被検眼から離れる方向に移動する際の移動量を検出する検出手段を有し、前記表示制御手段は該検出手段の検出信号に基づいて前記第１前眼部撮影手段及び前記第２前眼部撮影手段にて得られる撮影画像を選択的に前記表示手段に表示させることを特徴とする。
（５）  （１）の眼科装置において、前記検眼部の上下方向の高さ情報を検出する高さ位置検出手段と、を備え、
前記表示制御手段は、
被検眼のアイレベルを調整する基準となるアイレベルマークを電子的に表示する電子表示手段を有し、該高さ位置検出手段によって検出される前記検眼部の高さ情報と予め記憶された適正なアイレベルとの偏位量に基づいて電子的に表示されるアイレベルマークの位置を変更することを特徴とする。
（６）  （１）または（５）の眼科装置において、前記第２撮影光学系は、該第１撮影光学系とは上下に異なる撮影光軸を持つ第２撮影光学系であって、
装置に設けられるもしくは電子的に表示されるアイレベルマーカーは、被検眼のアイレベルが適正に調整された状態において、被検眼とほぼ同じ高さとなって前記表示手段によって表示されるように、配置位置もしくは表示位置が補正されていることを特徴とする。
（７）  被検眼を検査または測定を行うための検眼部を備える眼科装置において、
被検眼に対して前記検眼部を所定位置に合わせるために検眼部が搭載された移動台の移動により被検眼に対して前記検眼部を前後方向に移動させる前後移動手段と、
被検眼の高さを確認するために前眼部を含めた周辺領域を撮影することが可能な前眼部撮影手段と、
前記前眼部撮影手段にて得られた前眼部画像を表示する表示手段と、
前記前後移動手段によって移動される前記移動台の前後方向の移動に基づいて前記前眼部撮影手段にて得られる前眼部画像を電子的に変倍して前記表示手段に表示する電子変倍手段と、を備えることを特徴とする。
【発明の効果】
【０００７】
本発明によれば、被検眼の高さ位置を適正なアイレベルに容易に調節することができる。
【発明を実施するための最良の形態】
【０００８】
以下、本発明の実施形態を図面に基づいて説明する。図１は、本実施形態に係る眼科装置の外観概略図（図１（ａ）は斜視図、図１（ｂ）は側面図）を示している。
【０００９】
１００は、本実施形態の眼科装置本体である。眼科装置１００の基台１には、被検者の顔を固定する顔支持ユニット１０が固定されている。顔支持ユニット１０には、被検者の額を当接する額当て１１と、被検者の顎を受ける顎受け１２が設けられている。顎受け１２は、後述する顎受け移動機構３０により上下（Ｙ）方向に移動される。１４は額当て１１を形成する支柱部分に設けられたアイレベルマーカであり、顎受け１２の上下動によって被検眼の高さ（アイレベル）を調整する際の目安となる。この場合、被検眼とアイレベルマーカ１４がほぼ同じ高さになるようにアイレベルが調整されると、顔支持ユニット１０の額当て１１と顎受け１２によって被検者の顔がしっかりと固定された状態となるように装置が設計されている。この場合、必ずしも被検眼とアイレベルマーカ１４の高さを厳密に合わせる必要はなく、被検者の顔が固定され、被検眼と装置との位置合わせが可能で状態であれば、ある程度許容される。
【００１０】
３は周知の摺動機構によって基台１に対してＸＺ方向に移動可能な移動台である。５は移動台３の上に搭載され検眼光学系等が収納された検眼部である。５ａは検眼部５の筐体内を被検者が覗くための検査窓であり、筐体内に配置された検眼光学系からの光束が検査窓５ａを介して被検眼に投光される。５０ａは、被検眼とその周辺を同時に撮影するための第２撮影光学系５０の撮影窓である。第２撮影光学系５０は、被検眼と装置とが所定の位置関係に置かれた状態にて、少なくとも被検眼とその近傍に位置するアイレベルマーカ１４とが同時に撮影できる程度の撮影領域を有している（光学系の詳細については後述する）。６は検眼部５を上下（Ｙ）方向に移動させるＹ駆動部であり、７は検眼部５を左右（Ｘ）及び前後（Ｚ）方向に移動させるＸＺ駆動部であり、これらは移動台３の内部に搭載されている。すなわち、検眼部５は、Ｙ駆動部６及びＸＺ駆動部７により被検眼に対して三次元（ＸＹＺ）方向にそれぞれ移動可能な構成となっている。
【００１１】
４は、被検眼に対して検眼部５を所定位置に合わせるために検者によって操作されるジョイスティックである。ジョイスティック４が前後左右に操作されると、摺動機構によって基台１に対して移動台３がＸＺ方向（水平方向）に移動され、結果的に被検眼に対して検眼部５がＸＺ方向に移動される。また、ジョイスティック４の回転ノブ４ａが回転操作されると、Ｙ駆動部６が駆動され、検眼部５がＹ方向（垂直方向）に移動される。また、ジョイスティック４の頂部に設けられた測定開始スイッチ４ｂが押されると、検眼光学系による測定や撮影等を開始するためのトリガ信号が発せられる。また、移動台３の検者側には、モニタ８、及び測定条件等の各種設定を行うためのコントロール部９ａが設けられている。また、基台１の検者側側面には、検者操作によって顎受け１２を上下させるための顎受けスイッチ９ｂ（ＵＰ／ＤＯＷＮスイッチ）が設けられている。ここで、顎受けスイッチ９ｂが押されると、顎受け移動機構３０が操作方向に対応して駆動され、顎受け１２の高さが調整される。
【００１２】
３００はマイクロスイッチであり、前後方向の移動により移動台３が所定の位置に移動したことを検知する検知手段の役目を果たす。３０１は基台１に固定されたガイド板である。この場合、移動台３が所定の前後位置（詳しくは後述する）に移動されると、マイクロスイッチ３００が押し上げられ検知信号が後述する制御部７０に出力される。なお、上記のような検知機構としては、フォトセンサを用いても良いし、ポテンショメータ等によって随時検出される検出結果に基づいて位置検知を行うようにしてもよい。
【００１３】
図２は顎受け１２を電動で上下動させる顎受け移動機構３０の構成を示す概略断面図である。支基２０には送りネジ２１が立設されており、これに螺合する雌ネジを持つ支柱２３が支基２０にガイドされて上下に移動可能に取り付けられている。支柱２３の上に顎受け１２が固定されている。送りネジ２１の下方にはギヤ２２が設けられており、このギヤ２２にパルスモータ２４側のギヤと噛み合っている。また、支柱２３には溝２５があり、この溝２５と回転止め用のビス２６により支柱２３が回転するのを防止している。モータ２４の回転により送りネジ２１が回転し、これによって支柱２３と共に顎受け１２が上下移動する。支柱２３の下方には遮光板２７が取り付けられており、支基２０側には遮光板２７を検知するフォトセンサ２８が設けられている。フォトセンサ２８は、遮光板２７を検知することにより、顎受け１２が下限に下がったことを検知する。また、フォトセンサ２８で検知される顎受け１２の下限位置を基準としてパルスモータ２４に付与するパルス数を計測することにより、顎受け１２の高さ位置の検出が可能である。したがって、顎受け１２を所定の高さ（初期位置）に調整することも可能である。
【００１４】
図３は、検眼部５内に設けられた光学系及び制御系の構成を説明する概略構成図である。
光路Ｏ１上には、対物レンズ１７、ビームスプリッタ１３、検眼光学系５ｂが配置されており、検眼光学系５ｂから発せられた光束は、ビームスプリッタ１３、対物レンズ１７を介して被検眼に入射する。そして、被検眼からの反射光は、対物レンズ１７、ビームスプリッタ１３を介して検眼光学系５ｂ内に入射し、所定の眼特性（例えば、眼屈折力や眼底画像や前眼部断面像など）を得る。なお、Ｌ１は対物レンズ１７の光軸であり、検眼光学系５ｂの光軸及び後述する第１撮影光学系６０の光軸を兼ねる。
【００１５】
また、眼Ｅの前眼部の前方には、眼Ｅの角膜Ｅｃにリング指標を投影するための近赤外光を発するリング指標投影光学系４０と、眼Ｅの角膜Ｅｃに無限遠指標を投影することにより被検眼に対する作動距離方向のアライメント状態を検出するための近赤外光を発する作動距離指標投影光学系４１が光軸Ｌ１に対して左右対称（図３では、便宜上、上下に配置）に配置されている。なお、リング投影光学系４０は、眼Ｅの前眼部を照明する前眼部照明としても用いられる。
【００１６】
また、被検眼の前眼部を撮影する前眼部撮影光学系は、被検眼を検眼するために被検眼前眼部を撮影する第１撮影光学系６０と、被検眼の高さを確認するために前眼部を含めた周辺領域を撮影する第２撮影光学系５０とを有する。ここで、第２撮影光学系５０は、レンズ５１、二次元受光素子５２を持ち、第１撮影光学系６０よりも低倍率にて前眼部を撮影する（図４参照）。ここで、近赤外光によって照明された前眼部からの反射光は、レンズ５１を介して二次元受光素子５２に受光される。そして、二次元受光素子５２の出力は、後述する制御部７０に送られる。
【００１７】
なお、本実施形態において、第２撮影光学系５０は、対物レンズ１７の真下に配置されており（図１参照）、左右両眼及び左右のアイレベルマーカ１４とを同時に撮影できるような撮影範囲を有する構成となっている（図４参照）。これにより、被検眼の高さの確認、左右眼の判別、及び左右眼の位置の特定を同時に行うことができる。
【００１８】
第１撮影光学系６０は、ビームスプリッタ１３の反射方向に配置され、リレーレンズ６１、全反射ミラー６２、絞り６３、撮像レンズ６４、二次元受光素子６５を持ち、二次元受光素子６５により被検眼が高倍率で撮像されると共に、指標投影光学系４０及び４１によって被検眼角膜に投影されたアライメント指標像が検出される（図５参照）。なお、上記の光学系において、近赤外光によって照明された前眼部からの反射光は、対物レンズ１７、ビームスプリッタ１３及びリレーレンズ６１〜撮像レンズ６４を介して二次元受光素子６５に受光される。そして、二次元受光素子６５の出力は、後述する制御部７０に送られる。なお、本実施形態においては、光軸Ｌ１とアイレベルマーカ１４の高さを合わせた際に、検眼部５が上下方向の移動可能範囲の中間にくるような構成となっている。
【００１９】
次に、制御系の構成について説明する。７０は装置全体の制御を行う制御部である。制御部７０は、表示モニタ８に接続されており、その表示画像を制御する。また、制御部７０は、第１撮影光学系６０または第２撮影光学系５０によって撮像されたアライメント指標像の像位置（もしくは被検眼の位置）に基づいて、被検眼に対する検眼部５のアライメント状態を検出できる。また、制御部７０には、検眼光学系５ｂ、受光素子６５、受光素子５２、Ｙ駆動部６、ＸＺ駆動部７、モータ２４、フォトセンサ２８、ジョイスティック４、コントロール部９ａ、顎受けスイッチ９ｂ、マイクロスイッチ３００、メモリ７１等が接続されている。
【００２０】
上記構成において、制御部７０は、マイクロスイッチ３００からの検知信号に基づいて移動台３が前後方向の移動により所定位置に移動したことを検知する。例えば、第１撮影光学系６０を用いて被検眼と検眼部５との位置合わせを行うのに必要な移動台３の前後方向の範囲を外れた移動台３の位置を所定位置として設定した構成が考えられる。より具体的には、図示無き摺動機構により基台１に対して移動台３が約４０ｍｍ程度前後に移動可能な場合、第１撮影光学系６０を用いて位置合わせを行うのに必要な移動台３の前後方向の範囲を被検眼に最も近い最先端位置から３０ｍｍまでの範囲とすれば、この範囲より後方を所定位置として設定する。設定される所定位置は、一定の幅を持っていても良く、例えば、最先端位置から３０ｍｍを超えた位置から最後端までの移動台３の移動可能範囲（最後端から１０ｍｍまでの移動可能範囲）を所定位置としてもよい。また、前後方向における移動台３の移動可能範囲の最後端（検者側）を所定位置として設定し、移動台３が最後端に達したことを検知するようにしてもよい。
【００２１】
ここで、制御部７０は、マイクロスイッチ３００からの検知信号に基づいて移動台３が所定の前後位置にあるか否かを検知し、その検知結果から第２撮影光学系５０及び第１撮影光学系６０によって得られた撮影画像を選択的に表示モニタ８に表示させる。
【００２２】
すなわち、基台１に対する移動台３の位置が所定の前後位置にあると検知された場合、制御部７０は、二次元受光素子５２によって得られた撮影画像がモニタ８に表示されるため、広範囲の前眼部像（低倍率像）がモニタ８に表示可能となる。図４は二次元受光素子５２によって撮像される前眼部像がモニタ８に表示されたときの図である。このとき、表示モニタ８の表示画面上には、被検者の両眼及びアイレベルマーカ１４が表示される。なお、ＬＴは被検眼に対するアライメント基準となるレチクルであり、画面上に電子的に表示されている。ここで、レチクルＬＴは、第１撮影光学系６０の光軸Ｌ１の位置を表している。
【００２３】
一方、基台１に対する移動台３の位置が所定の前後位置にないと検知された場合、制御部７０は、二次元受光素子６５によって得られた撮影画像がモニタ８に表示されるため、拡大された前眼部像（高倍率像）がモニタ８に表示可能となる。図５は、二次元受光素子６５によって撮像される前眼部像がモニタ８に表示されたときの図である。図５において、Ｆは前眼部画像、Ｒはリング投影光学系４０によって投影されたリング指標像（マイヤーリング像）であり、Ｍは作動距離投影光学系４１によって投影された無限遠指標像である。
【００２４】
以上のような構成を備える装置において、被検眼に対する検眼作業を行う際の動作について説明する。まず、装置の電源が投入されると、制御部７０は、予め設定された初期原点位置（例えば、移動可能範囲における中点位置）に検眼部５及び顎受け１２を移動させるべく、Ｙ駆動部６及び駆動機構３０を駆動させる。なお、顎受け１２の初期位置は、平均的な顔の大きさの被検者が顔支持ユニット２に顔を固定させた際に、アイレベルマーカー１４と被検眼との高さが略一致するような位置に設定しておくことが好ましい。また、制御部７０は、ＸＺ駆動部７を駆動させて検眼部５を所定の初期原点位置に移動させておく。
【００２５】
次に、検者は、ジョイスティック４を後方に操作して、検眼部５と被検眼とが接触しないように移動台３を後方に移動させる。ここで、移動台３が所定の前後位置に移動されたことが検知されると、制御部７０は、二次元受光素子５２によって得られた撮影画像がモニタ８に表示された状態となる。
【００２６】
次に、検者は、被検者に対して顎受け１２に顎を載せるように指示し、顎受け１２に被検者の顎を載せてもらう。このとき、移動台３が所定の前後位置に移動されていれば、低倍率の前眼部画像（広範囲画像）が表示された状態となる。ここで、図４のように、表示モニタ８に広範囲画像が表示されている場合、検者は、表示モニタ８に表示されるアイレベルマーカ１４と被検眼の高さがほぼ同じ高さになるように顎受け１２の高さを調整する。この場合、制御部７０は、検者によって操作される顎受けスイッチ９ｂからの操作信号に基づいてモータ２４を駆動させ顎受け１２を上下動させる。
【００２７】
一方、表示モニタ８に広範囲画像が表示されていない場合には、必要に応じて、広範囲画像に切り換わるまで再度ジョイスティック４を後方に操作した後、上記のように顎受け１２を上下動させ、被検眼のアイレベルの調整を行う。これにより、被検者の顔が顔支持ユニット１０によって確実に固定された状態となり、正確な測定や撮影等を行うことが可能となる。なお、上記のようにしてアイレベルの調整が完了したら、検者は、広範囲画像における被検眼とレチクルＬＴがほぼ一致するように、被検眼に対する検眼部５のＸＹ方向の位置をジョイスティック４及び回転ノブ４ａにより調整しておくと、その後アライメント作業が容易となる。
【００２８】
その後、検者は、被検眼と検眼部５との作動距離を合わせるために、ジョイスティック４を前方に操作して検眼部５を被検眼に接近させる。これにより、移動台３が前進されて、移動台３が所定の前後位置から外れたことが検知されると、制御部７０は、モニタ８に表示される撮影画像を第２撮影光学系５０の出力から第１撮影光学系６０の出力に切換える。これにより、表示される前眼部像が広範囲画像から拡大された前眼部像に切換えられる。
【００２９】
ここで、検者は、図示なき固視標を固視するよう被検者に指示し、ジョイスティック４を用いて被検眼に対するアライメント調整を行う。この場合、モニタ８にボケのない鮮明な被検眼像が現われたら、表示モニタ８に表示されたリング像ＲとレチクルマークＬＴが同心円になるように被検眼に対して検眼部５の位置を上下左右方向に微調整する。その後、図示無きインジゲータを参考にしながら（もしくはリング像Ｒが最も細くなるように）、検眼部５の作動距離方向の位置を微調整する。そして、アライメントが完了して、検者から測定開始スイッチ４ｂが押されると、検眼光学系５ｂによる測定が行われる。この場合、二次元受光素子６５によって受光されるアライメント指標像の位置から被検眼に対する検眼部５のアライメント状態を検出し、その検出結果に基づいてＹ駆動部６又はＸＺ駆動部７を駆動制御することにより、被検眼に対するアライメント調整を自動的に行うようにしてもよい。
【００３０】
以上のような構成とすれば、ジョイスティック４に対する検者の操作に伴って、低倍率の画像及びアイレベルマーカが表示されるので、検者は、特別なスイッチ操作を行うことなく、アイレベルの確認及び調整を確実に実行できる。さらに、低倍率の画像が表示される移動台３の前後位置が被検眼と検眼部５との作動距離方向の位置合わせを行うのに必要な移動台３の前後方向の範囲を外れた位置に設定されることにより、ジョイスティック４を用いて被検眼に対して検眼部５を位置合わせする際に、低倍率の画像が不意に表示されてしまうことはなく、アライメント時の操作性は十分確保される。
【００３１】
なお、以上の説明においては、顔支持ユニット１０に設けられたアイレベルマーカー１４と被検眼との位置関係を表示モニタ８を介して確認できるような構成としたが、アイレベルマーカを電子的に表示するようにしてもよい。この場合、検眼部５の高さ情報（例えば、検眼光学系５ｂの検査光軸Ｌ１の高さ）を検出する高さ検出機構を設け、検出機構によって検出される検眼部５の高さと予めメモリ７１に記憶された適正なアイレベルの高さとのずれ量を求め、そのずれ量に基づいて電子的に表示するアイレベルマーカの表示位置を変更する。図６は検眼部５の光軸Ｌ１が適正なアイレベルに対して下方向にあるときの表示であり、ＥＭは電子的に表示されたアイレベルマーカである。
【００３２】
なお、本実施形態においては、低倍率で前眼部を撮影する第２撮影光学系５０を光軸Ｌ１に対して下側に配置したため、真横から見たときにアイレベルマーカー１４と被検眼との高さがあっていても、これらが上下にずれた状態で表示され適切なアイレベル確認及び調整を行うことができない可能性がある（図７（ａ）参照）。このため、上記のようなずれが許容できない場合、アイレベルが適正に調整された状態において、アイレベルマーカ１４と被検眼とがほぼ同じ高さとなって表示されるように、図７（ｂ）のようにずれを補正した位置に撮影用のアイレベルマーカー１４０を設けたり、ずれを補正した表示位置にアイレベルマーカを電子的に表示するようなことが考えられる。
【００３３】
また、上記第２撮影光学系５０の撮影光軸と光軸Ｌ１の高さが上下に異なることに伴う問題を解決する手法としては、適正なアイレベルの高さと第２撮影光学系５０の撮影光軸との高さがほぼ同じ高さになるように検眼部５を上（または下）に移動させてから、アイレベルの確認及び調整を行うような手法も考えられる。例えば、光軸Ｌ１の下に第２撮影光学系５０が配置されている場合、制御部７０は、移動台３が所定の前後位置に移動されたことを検知すると、Ｙ駆動部６を駆動させることにより第２撮影光学系５０の撮影光軸が予めメモリ７１に記憶された適正なアイレベルとほぼ同じ高さになるように検眼部５を上方向に移動させる。一方、移動台３が所定の前後位置から外れたことを検知すると、Ｙ駆動部６を駆動させて適正なアイレベルとほぼ同じ高さになるように検眼部５を下方向に移動させる。
【００３４】
なお、上記構成に限らず、第１撮影光学系６０の左右方向の少なくともどちらかに第２撮影光学系５０を配置するようにしてもよい（上記アイレベルの表示補正は不要となる）。また、第１撮影光学系６０に対して斜め４５度方向に第２撮影光学系５０を配置するようにしてもよい。また、第１撮影光学系６０と第２撮影光学系５０の撮像光軸を所定の光結合部材（例えば、ハーフミラー）を用いて同軸にした構成を持つ光学系であってもよい。
【００３５】
なお、本実施形態における前眼部画像の表示状態の変化は、同一画面に低倍率画像と高倍率画像の両方が表示された状態で、主として表示される（例えば、大きく表示される）前眼部画像が切り換わるもの等も含まれる。
【００３６】
また、以上の説明において、顎受けスイッチ９ｂによって顎受け１２の高さが調整されるものとしたが、低倍率の前眼部画像が表示されたのちに、二次元撮像素子５２の出力から被検眼の位置を検出し、その検出結果に基づいて被検眼の高さが適正なアイレベルになるようにモータ２４を駆動制御することにより自動的に顎受け１２の高さを調整するようにしてもよい。
【００３７】
また、以上の説明においては、摺動機構による移動台３の移動と駆動機構による検眼部５の移動によって被検眼に対して検眼部５が相対的に前後方向に移動されるものとしたが、駆動機構又は摺動機構のみで前後のアライメント調整をする装置であっても、本発明の適用は可能である。例えば、基台１と移動台３が固定されたような装置であって、移動台３に対して検眼部５が移動されるような前後移動機構を持つ装置が考えられる。この場合、検眼部５自体が、被検眼の検査または測定を行うための検眼部が搭載された移動台として機能するものとして考えることができる。
【００３８】
なお、上記において、検眼部５を移動させる駆動機構の駆動によって検眼部５の後方への退避動作と被検眼に対する細かいアライメントができるよう前後の移動範囲が確保された装置であれば、前後方向におけるアライメント調整を自動的に行うことも可能である（この際、上下左右方向も自動化することが好ましい）。この場合、検眼開始前の初期位置（例えば、電源投入後）として、所定の前後位置に検眼部５（移動台）を移動させておく。これにより、低倍率の前眼部像が表示されるので、検者は、フルオートアライメントの開始前に、被検者のアイレベルの確認及び調整ができる。この場合、上記のように被検眼の位置を検出して、適正なアイレベルになるように自動的に顎受け１２の高さを調整したり、被検眼に対する検眼部５のＸＹ方向の位置を調整するようにしてもよい。そして、アイレベルの確認及び調整が済んだら、装置に設けられた所定のアライメント開始スイッチを押す。これにより、制御部７０は、アライメント開始スイッチからのトリガ信号に基づいて、検眼部５の駆動機構を駆動させ検眼部５の前方への移動を開始させると共に、前眼部像の表示を高倍率の画像に切換える。また、制御部７０は、二次元受光素子６５から出力される前眼部画像に基づいて測定眼の位置（左右眼のどちらか）を特定した後、二次元受光素子６５または二次元受光素子５２から出力される前眼部画像に基づいて測定眼に対するアライメント状態を検出し、その検出結果に基づいて被検眼に対して検眼部５を移動させる。これによれば、被検眼のアイレベル調整及び被検眼に対する検眼部５のアライメントを全自動化することも可能となる。
【００３９】
なお、以上の説明においては、撮影範囲（倍率）が異なる前眼部像を２つの光学系を用いて各々取得するものとしているが、これに限るものではない。一つの受光素子を兼用させるものとし、変倍光学系を光路内に挿脱させることにより一軸にて上述した第１撮影光学系６０及び第２撮影光学系５０の機能を果たすような光学系を採用することを可能である。また、上記構成において、変倍光学系を用いず、前眼部を含めた周辺領域の撮影が可能な前眼部撮影光学系（二次元撮像素子兼用）によって得られた前眼部画像を電子的に変倍（拡大・縮小）させることで前眼部表示を変化させる電子ズーム方式を用いるようにしてもよい。
【００４０】
また、以上の説明においては、図示無き摺動機構もしくは駆動機構による移動台３の前後方向の移動により移動台３が所定位置に移動（位置）したことを検知し、その検知信号に基づいて第１撮影光学系６０及び第２撮影光学系５０で得られる撮影画像を選択的に表示するものとしたが、移動台３の前後方向の移動に基づいて選択的表示が行われるものであればよい。例えば、移動台３の前後方向の位置情報を検出する位置検出機構（例えば、ポテンショメータ等）を設け、その検出結果に基づいて、移動台３が被検眼から離れる方向に所定の移動量だけ移動されたことが検出されたら、第２撮像光学系５０で得られる撮影画像がモニタ８に表示されるようにしてもよい。また、前述のように検出される検出結果にもとづいて、静止状態にあった移動台３が被検眼から離れる方向に所定時間以上継続して移動されたことが検出されたときに、第２撮像光学系５０で得られる撮影画像がモニタ８に表示されるようにしてもよい。また、前述のように検出される検出結果にもとづいて、被検眼から離れる方向への移動台３の移動速度が所定速度以上であることが検出されたときに、第２撮像光学系５０で得られる撮影画像がモニタ８に表示されるようにしてもよい。なお、前述の所定移動量や所定時間や所定速度を設定する場合、移動台３の前後方向の移動によって、被検眼と検眼部５との位置合わせを行うのに必要な移動台３の前後方向の範囲を外れた位置に検眼部５が移動されたことを間接的・結果的に検出できるようにするとよい。
【図面の簡単な説明】
【００４１】
【図１】本実施形態に係る眼科装置の外観概略図である。
【図２】顎受けを電動で上下動させる顎受け移動機構の構成を示す概略断面図である。
【図３】検眼部内に設けられた光学系及び制御系の構成を説明する概略構成図である。
【図４】第２撮像光学系によって撮像された前眼部像がモニタに表示されたときの図である。
【図５】第１撮像光学系によって撮像される前眼部像がモニタ８に表示されたときの図である。
【図６】検眼部の光軸Ｌ１が適正なアイレベルに対して下方向にあるときのモニタの表示画面を示す図である。
【図７】アイレベルマーカーの位置の補正について説明する図である。
【符号の説明】
【００４２】
３  移動台
５  検眼部
８  表示モニタ
１４  アイレベルマーカ
５０  第２撮影光学系
６０  第１撮影光学系
７０  制御部
３００  マイクロスイッチ
ＥＭ  電子的に表示されたアイレベルマーカ
【図１】
2008136617.tif 000003
【図２】
2008136617.tif 000004
【図３】
2008136617.tif 000005
【図４】
2008136617.tif 000006
【図５】
2008136617.tif 000007
【図６】
2008136617.tif 000008
【図７】
2008136617.tif 000009